(57)【要約】【課題】ディスプレイ機能を有するフレキシブル・カード。【解決手段】第１のカード部分と、第２のカード部分と、第１のカード部分と第２のカード部分との間に配置されたフレキシブル薄型電子システムと、を含むフレキシブル・カード。フレキシブル薄型電子システムは、フレキシブル・ディスプレイ、ディスプレイ回路、通信インターフェースとスマートカードＩＣを含む。ディスプレイ回路は、フレキシブル・ディスプレイに接続しており、通信インターフェースは、スマートカードＩＣを介してディスプレイ回路に接続している。前記スマートカードＩＣは、セキュリティ認証を実行し、セキュリティの認証が成功した後、スマートカードＩＣおよびディスプレイ回路と通信する。【選択図】図４
2011134290.tif 000002
【特許請求の範囲】
【請求項１】
ディスプレイ機能を有するフレキシブル・カードであって、
該フレキシブル・カードは、
第１のカード部分と、
第２のカード部分と、
第１のカード部分と第２のカード部分との間に配置されたフレキシブル薄型電子システムであって、該フレキシブル薄型電子システムは、フレキシブル・ディスプレイと、フレキシブル・ディスプレイに接続したディスプレイ回路と、通信インターフェースと、スマートカードＩＣと、を備える、フレキシブル薄型電子システムと、
を備え、
前記通信インターフェースは、前記スマートカードＩＣを介して、前記ディスプレイ回路に接続しており、
前記スマートカードＩＣは、セキュリティ認証を実行し、
前記通信インターフェースは、セキュリティの認証が成功した後、スマートカードＩＣを介して、前記ディスプレイ回路と通信する、フレキシブル・カード。
【請求項２】
前記フレキシブル薄型電子システムが、更に、前記ディスプレイ回路、前記通信インターフェース、及び、前記スマートカードＩＣに接続した電力発生器を備える、請求項１に記載のフレキシブル・カード。
【請求項３】
前記電力発生器は、通信インターフェースを介して、無線周波信号を受信し、
無線周波信号に従って、前記フレキシブル薄型電子システムに動作電圧を供給する、請求項２に記載のフレキシブル・カード。
【請求項４】
前記電力発生器の電力は、一次電池、二次電池、太陽電池または外部デバイスによって提供される、請求項２に記載のフレキシブル・カード。
【請求項５】
前記二次電池は、コンデンサ、スーパー・コンデンサまたは急速充電コンデンサである、請求項４に記載のフレキシブル・カード。
【請求項６】
前記二次電池は、接触する方法またはコンタクトレスの方法で充電される、請求項４に記載のフレキシブル・カード。
【請求項７】
前記電力発生器は、前記ディスプレイ回路の動作電圧に直流電圧を変換するために、直流電圧変換器を備える、請求項２に記載のフレキシブル・カード。
【請求項８】
前記第１のカード部分の表面に配置されたボタン・ユニットをさらに備える、請求項１に記載のフレキシブル・カード。
【請求項９】
前記フレキシブル薄型電子システム中に配置されたボタン・ユニットをさらに備える請求項１に記載のフレキシブル・カード。
【請求項１０】
前記ボタン・ユニットが、少なくとも１つの金属ボタンを備える、請求項８に記載のフレキシブル・カード。
【請求項１１】
前記ボタン・ユニットが、少なくとも１つの厚膜ボタンを備える、請求項８に記載のフレキシブル・カード。
【請求項１２】
前記ボタン・ユニットは、タッチパネルである、請求項８に記載のフレキシブル・カード。
【請求項１３】
前記ボタン・ユニットが、少なくとも１つの金属ボタンを備える、請求項９に記載のフレキシブル・カード。
【請求項１４】
前記ボタン・ユニットが、少なくとも１つの厚膜ボタンを備える、請求項９に記載のフレキシブル・カード。
【請求項１５】
前記スマートカードＩＣは、セキュリティ認証を実行するためのセキュリティ・モジュールと、前記セキュリティ認証の後、前記ストレージ・ユニットのデータにアクセスするためのストレージ・ユニットと、を備える、請求項１に記載のフレキシブル・カード。
【請求項１６】
前記ディスプレイ回路は、前記フレキシブル・ディスプレイを駆動するための、前記フレキシブル・ディスプレイに接続しているディスプレイドライバと、該ディスプレイドライバを制御するための、前記ディスプレイドライバと前記スマートカードＩＣに接続しているディスプレイコントローラと、を備える、請求項１に記載のフレキシブル・カード。
【請求項１７】
前記ディスプレイ回路と前記スマートカードＩＣは、集積回路の全体またはその一部を共有するか、あるいは、単一の集積回路上に配置されている、請求項１に記載のフレキシブル・カード。
【請求項１８】
前記第１のカード部分と前記第２のカード部分は、コールド・ラミネーションで、プレスされて一緒にされる、請求項１に記載のフレキシブル・カード。
【請求項１９】
前記コールド・ラミネーションの操作温度が摂氏１０５度未満である、請求項１８に記載のフレキシブル・カード。
【請求項２０】
前記フレキシブル・ディスプレイは、双安定特性または多安定特性を有する、請求項１に記載のフレキシブル・カード。
【請求項２１】
前記フレキシブル・ディスプレイは、電気泳動ディスプレイ、コレステロール液晶ディスプレイ、液晶ディスプレイ、双安定液晶ディスプレイ、あるいは、多安定液晶ディスプレイである、請求項１に記載のフレキシブル・カード。
【請求項２２】
前記フレキシブル・ディスプレイは、フレキシブル有機発光ダイオード（ＯＬＥＤ）ディスプレイ、フレキシブル光放出ダイオード（ＬＥＤ）ディスプレイまたはフレキシブル液晶ディスプレイである、請求項１に記載のフレキシブル・カード。
【請求項２３】
前記フレキシブル・ディスプレイは、セグメントタイプ、ドット・マトリックス・タイプまたはパターン・タイプに関係する、請求項１に記載のフレキシブル・カード。
【請求項２４】
前記スマートカードＩＣは、コンタクト・タイプ、コンタクトレス・タイプ、または、コンタクト・タイプとコンタクトレス・タイプを含むハイブリッド・タイプと関係する、請求項１に記載のフレキシブル・カード。
【請求項２５】
前記スマートカードＩＣは、ＥＭＶ標準、ＭＩＦＡＲＥ標準またはフェリカ標準を満たす、請求項１に記載のフレキシブル・カード。
【請求項２６】
前記第１のカード部分と前記第２のカード部分は、単一レイヤ構造またはマルチレイヤ構造である、請求項１に記載のフレキシブル・カード。
【請求項２７】
前記コールド・ラミネーションは、熱硬化接着剤、あるいは電磁波硬化接着剤を使って実行される、請求項１８に記載のフレキシブル・カード。
【請求項２８】
前記コールド・ラミネーションは、２つの接着剤を混合して用いて実行される、請求項１８に記載のフレキシブル・カード。
【請求項２９】
前記第１のカード部分または前記第２のカード部分の外側に配置されたプリント層をさらに備える、請求項２６に記載のフレキシブル・カード。
【請求項３０】
前記第１のカード部分または前記第２のカード部分の内側に配置されたプリント層をさらに備える、請求項２６に記載のフレキシブル・カード。
【請求項３１】
前記第１のカード部分または前記第２のカード部分の外側は、２Ｈないし８Ｈの範囲の硬さを有する保護層でコートされている、請求項２６に記載のフレキシブル・カード。
【発明の詳細な説明】
【技術分野】
【０００１】
本出願は、２００９年１２月２２日に出願の台湾特許出願番号第９８１４４３２４号に基づく優先権を主張するものであり、開示された事項は、引用によって本明細書に組み込まれる。
【０００２】
本発明は、一般に、カードに関し、より具体的には、ディスプレイ機能を有するフレキシブル・カードに関する。
【背景技術】
【０００３】
技術の進歩によって、多くの取引と支払の方法は、例えば、クレジットカード、デビットカード、テレフォンカード、バスカード、地下鉄カード、その他の集積回路（ＩＣ）カードによって、徐々にとって代わられてきた。現在利用可能なＩＣカードは、通信インターフェースに従って、コンタクト・タイプ・インターフェース、コンタクトレスタイプ・インターフェース、ハイブリッド・インターフェースのカードに分類することができる。
【０００４】
コンタクト・タイプ・インターフェースによるカードは、スマートカードとメモリーカードに分類できる。スマートカードは、制御メカニズム機能を有し、ＤＥＳ、ＲＳＡまたはその他の暗号化処理を行う、８ビット、１６ビットまたは３２ビット・マイクロプロセッサーを含む。メモリーカードは、４Ｋ、８Ｋ、１６Ｋ、ないし１Ｍバイトの記憶容量を有する、例えば、読取り専用メモリー（ＲＯＭ）または不揮発性メモリーなどの、メモリーを含む。
【０００５】
コンタクトレスタイプ・インターフェースのカードは、Ａタイプ、Ｂタイプおよびフェリカ（Ｆｅｌｉｃａ）タイプに分類することができる。ここで、ＡタイプとＢタイプは、ＩＳＯ１４４４３標準に近いものであり、一方、フェリカ・タイプはソニー社の標準によるものである。それらの、通信距離は、０ｃｍないし１０ｃｍの範囲である。ハイブリッド・カードは、コンタクト・タイプとコンタクトレスタイプ・インターフェースを一緒に結合したものであり、通常、一つのチップ・カードとマルチチップ・カードに分類される。
【０００６】
図１（従来技術）は、ディスプレイ機能を有する従来のＩＣカード１を示す概略図である。例えば、米国特許第７１５６３１３号は、従来のＩＣカードを記載している。図１で示すように、通信インターフェースは、コンタクトレス・タイプＲＦ（ラジオ周波数）インターフェースあるいは、コンタクト・タイプ通信インターフェースであり得、そこで要求される駆動電力源は、パターンのオプションに依存して、コンタクトレス・タイプ通信インターフェースまたはコンタクト・タイプ通信インターフェースであり得る。以下に示す方法を利用することによって、電源を得ることができる。
【０００７】
［１．コンタクトレス・タイプ通信インターフェース］
ノンコンタクト・タイプ通信インターフェースは、外部カードリーダから受信されたＲＦ信号と結合信号のための通信インターフェース２３を通してＲＦ解読を実行するコンタクトレス・タイプＲＦインターフェースのＩＣの中に提供されるアンテナ２２を有する。他方、結合信号は、整流器／電圧調整器２７を通して内部的に必要な電圧を供給する直流を生成する。
【０００８】
［２．コンタクト・タイプ通信インターフェース］
コンタクト・タイプ通信インターフェースは、通信インターフェース２３が、外部カードリーダのデジタル連続信号を受信した後に、マイクロプロセッサー２４によって読込まれ，解読を実行させるコンタクト・タイプＩＣカードのＩＣ３２を有する。その間に、外部カードリーダは、また、コンタクト・タイプ・インターフェースを通しての内部使用のために直流を供給する。
【０００９】
本発明における、表示パネルを有するが、バッテリーを有さないＩＣカードの動作フローチャートは、以下の通りである。
【００１０】
マイクロプロセッサー２４は、通信インターフェース２３から信号を受信した後に、ＥＥＰＲＯＭ２８に、データを格納することができる。マイクロプロセッサー２４は、また、データを、ユーザーが調べるために、ディスプレイドライバ２５を介して、表示パネル２１の駆動信号に変換することができる。マイクロプロセッサー２４は、また、応答信号を、通信インターフェース２３を通して外部カードリーダのためのアンテナに送ることができる。
【００１１】
電荷ポンプ２６は、整流器／電圧調整器２７によって生成される電流源を、ディスプレイドライバ２５が、表示パネル２１の駆動信号に変換するための比較的高い電圧に変換する。
【００１２】
このようにして、通信インターフェース２３は、外部データを受信した後に、ユーザーが、そのデータとコンテンツを調べるために、まず、データ復号化し、デコードして、表示パネル２１上にそれらを表示することができる。本発明に採用された表示パネル２１は、一旦データが示されると、表示パネル２１のための持続的な電源は必要でないという特性をもつ双安定関数を有するものであるので、それによって、表示データが持続的に保存される。言い換えると、表示パネル２１が、再び駆動され、そして、表示されたコンテンツまたは更新されたデータが変更されるまで、そこに表示されたデータが、消えることはない。
【００１３】
そのうえ、上記のコンタクトレス・タイプＲＦＩＣカード（ＲＦＩＣ）のＩＣ３１およびコンタクト・スマートＩＣ３２は、市場に流通しているスマートＩＣである。本願発明は、市場に流通しているスマートＩＣ（コンタクト・タイプ、コンタクトレス・タイプまたは二重インターフェース・タイプＩＣ）を、バッテリーなしで、そのコマンドや秘密保護手段を加える方法が、それらの市場に流通しているスマートＩＣに互換性を持つような要素を追加することにより、表示タイプＩＣカードにするように、そのレベルを容易にアップグレードさせることができる。
【００１４】
しかし、従来のＩＣカード１は、ハッカーによって、侵入されることが多々ある。ハッカーは、不揮発性読み込み可能なメモリー２８の重要なデータに、通信インターフェース２３とマイクロプロセッサー２４を介して、アクセスすることができ、従来のＩＣカードのセキュリティが非常に脅かされる。加えて、従来のＩＣカード１は、曲げることに耐えることができず、使用中の利便性が、かなり失われる。
【先行技術文献】
【特許文献】
【００１５】
【特許文献１】米国特許第７１５６３１３号
【発明の概要】
【００１６】
本願発明は、ディスプレイ機能を有するフレキシブル・カードに関する。フレキシブル・カードは、ユーザーがフレキシブル・カードを自分のポケットまたは財布に入れることができるように、曲げることができる。加えて、ディスプレイ機能を有するフレキシブル・カードは、ハッカーがそこに侵入することを防ぐことができ、使用中のセキュリティを強化することができる。
【００１７】
本願発明にしたがって、ディスプレイ機能を有するフレキシブル・カードが提供される。フレキシブル・カードは、第１のカード部分と、第２のカード部分と、第１のカード部分と第２のカード部分との間に配置されたフレキシブル薄型電子システムと、を含む。フレキシブル薄型電子システムは、フレキシブル・ディスプレイ、ディスプレイ回路、通信インターフェースとスマートカードＩＣを含む。ディスプレイ回路は、フレキシブル・ディスプレイに接続している。通信インターフェースは、スマートカードＩＣを介してディスプレイ回路に接続している。スマートカードＩＣは、セキュリティ認証を実行する。通信インターフェースは、セキュリティの認証が成功した後、スマートカードＩＣを介してディスプレイ回路と通信する。
【００１８】
本発明は、以下の好適であるが非限定的な詳細な説明から、明らかになる。以下の記載は、添付の図面を参照してなされる。
【図面の簡単な説明】
【００１９】
【図１】従来のＩＣカード（従来技術）を表している略図である。
【図２】ディスプレイ機能を有するフレキシブル・カードの外側を示す。
【図３】ディスプレイ機能を有するフレキシブル・カードを示す分解図である。
【図４】フレキシブル薄型電子システムを示している略図である。
【図５】ディスプレイ機能を有するフレキシブル・カードとボタン・ユニットの外側を示す。
【発明を実施するための形態】
【００２０】
使用中に利便性を強化して、カードがハッカーによって侵入されるのを防ぐために、ディスプレイ機能を有するフレキシブル・カードは、以下の実施形態において提供される。ディスプレイ機能を有するフレキシブル・カードは、第１のカード部分と、第２のカード部分と、第１のカード部分と第２のカード部分との間に配置されたフレキシブル薄型電子システムと、を含む。フレキシブル薄型電子システムは、フレキシブル・ディスプレイ、ディスプレイ回路、通信インターフェースとスマートカードＩＣを含む。ディスプレイ回路は、フレキシブル・ディスプレイに接続しており、通信インターフェースは、スマートカードＩＣを介してディスプレイ回路に接続している。スマートカードＩＣは、セキュリティ認証を実行する。通信インターフェースは、セキュリティの認証が成功した後、スマートカードＩＣを介してディスプレイ回路と通信することができる。
【００２１】
図２は、ディスプレイ機能を有するフレキシブル・カード４の外観を示す。図３は、ディスプレイ機能を有するフレキシブル・カード４を示している分解図である。図２と図３を参照すると、フレキシブル・カード４は、例えば、集積回路（ＩＣ）カードであり得、そして、例えば、電子マネー・カード、パスワード発生器カード、交通カード、メンバー・カード、ＶＩＰカード、入退室カード、電子キー、パスポート、身分証明カード、ラベル、デビットカード、クレジットカード、広告カード、エンターテイメント・カード、ビジネス・カード、カード型コンピュータ、カード型計算機、カード型電子ブック、カード型プレイステーション、あるいは生理的信号検出カードに適用できる。電子マネー・カードは、例えば、電子財布、ポイント・カード、交通電子マネー・カード、テレフォンカードまたはキャッシュカードである。交通カードは、例えば、交通電子マネー・カード、交通切符情報カードまたはチケット・カードである。ラベルは、例えば、価格ラベルまたは非偽者マークである。
【００２２】
フレキシブル・カード４は、カード部分４ａ、フレキシブル薄型電子システム４ｂとカード部分４ｃを含む。例えば、カード部分４ａとカード部分４ｃは、接着材料で付着されている。例えば、フレキシブル薄型電子システム４ｂとカード部分４ａ、カード部分４ｃ間のギャップは接着材料で充填される。接着材料は、例えば、熱硬化接着剤あるいは、いくつかの接着剤の混合であることもできる。カード部分４ａとカード部分４ｃは、前もってウィンドウまたはスロットを有するように形成することができ、カード部分４ａとカード部分４ｃは、単一レイヤ構造またはマルチレイヤ構造である。そして、カード部分４ａとカード部分４ｃは、前もって、一緒に結合して射出成形することができ、あるいは、カード部分４ａとカード部分４ｃは、直接プレスして一緒にすることができる。例えば、カード部分４ａとカード部分４ｃは上面と底面にそれぞれ配置されている。ディスプレイ機能を有する側に配置されたカード部分は、完全に透過的カード部分であるか、あるいは、部分的に透過的なカード部分であって、フレキシブル薄型電子システム４ｂのフレキシブル・ディスプレイの光線がカード部分を通過することができるようになっている。
【００２３】
例えば、フレキシブル・カード４はカード部分４ａまたはカード部分４ｃの外側に配置されているプリント層、または、カード部分４ａまたはカード部分４ｃの内側に配置されたプリント層を更に含むことができる。加えて、カード部分４ａまたはカード部分４ｃの外側は、２Ｈないし８Ｈの硬さを有する保護層で、さらに、コートすることができる。例えば、カード部分４ａとカード部分４ｃの表面または内部層は、プリントまたは熱転写プリントによるパターンを形成することができる。カード部分４ａとカード部分４ｃの表面は、カード部分自体またはプリントパターンを保護するために、保護層でコートすることができる。カード部分４ａとカード部分４ｃは、好ましくは、コールド・ラミネーションで、プレスされて一緒にされる。コールド・ラミネーションは、例えば、熱硬化接着剤、電磁波硬化接着剤、あるいは２つ以上の接着材を含む接着材を使って実行される。操作温度が摂氏１０５度未満であるので、フレキシブル薄型電子システム４ｂの要素が過熱されて、損害を受けるのを防ぐことが可能である。
【００２４】
図４は、フレキシブル薄型電子システム４ｂを示す概略図である。図４で示すように、フレキシブル薄型電子システム４ｂは、カード部分４ａとカード部分４ｃの間に配置され、フレキシブル薄型電子システム４ｂは、フレキシブル・ディスプレイ４１０、ディスプレイ回路４２０、通信インターフェース４３０、スマートカードＩＣ４４０と電源発生器４５０を含む。カード部分４ａとカード部分４ｃが曲げられるときに、フレキシブル・ディスプレイ４１０は、その正常な機能に影響が及ぶことなく曲がることができる。ディスプレイ回路４２０とスマートカードＩＣ４４０は、集積回路の全体またはその一部を共有するか、あるいは、単一の集積回路上に配置されている。
【００２５】
例えば、フレキシブル・ディスプレイ４１０は、永久に、あるいは、一時的に、電源供給なしで表示されたコンテンツを保つこともできるように、双安定特性または多安定特性を有する。例えば、フレキシブル・ディスプレイ４１０は、電気泳動ディスプレイ、コレステロール液晶ディスプレイ、液晶ディスプレイ、双安定ディスプレイ、あるいは、多安定ディスプレイである。加えて、フレキシブル・ディスプレイ４１０は、さらに、フレキシブル有機発光ダイオード（ＯＬＥＤ）ディスプレイ、フレキシブル発光ダイオード（ＬＥＤ）ディスプレイまたはフレキシブル液晶ディスプレイであってもよい。さらに、例えば、フレキシブル・ディスプレイ４１０はセグメントタイプ、ドット・マトリックス・タイプまたはパターン・タイプに関係することもできる。
【００２６】
例えば、フレキシブル・ディスプレイ４１０のバックプレーンは、フレキシブルプリント回路（ＦＰＣ）である。ＦＰＣの材料は、例えば、ＦＲ４、ＦＲ５、ＰＩ、ＰＥＴ、ＰＶＣまたはＰＥＮであってもよい。加えて、例えば、フレキシブル・ディスプレイ４１０のバックプレーンは、さらに有機薄膜トランジスタ（ＯＴＦＴ）であってもよい。加えて、フレキシブル・ディスプレイ４１０のバックプレーンは、プリント、銀接着剤プリント、カーボン・インキプリント、あるいは、回路エッチングで、製造することもできる。
【００２７】
ディスプレイ回路４２０は、フレキシブル・ディスプレイ４１０に接続し、ディスプレイドライバ４２２とディスプレイコントローラ４２４を含んでいる。フレキシブル・ディスプレイ４１０に接続しているディスプレイドライバ４２２は、フレキシブル・ディスプレイ４１０を駆動する。ディスプレイドライバ４２２に接続したディスプレイコントローラ４２４と、マートカードＩＣ４４０は、ディスプレイドライバ４２２を制御する。
【００２８】
通信インターフェース４３０は、例えば、アンテナであり、そして、スマートカードＩＣ４４０を介して、ディスプレイ回路４２０に接続している。スマートカードＩＣ４４０は、例えば、コンタクト・タイプ、コンタクトレス・タイプ、または、コンタクト・タイプとコンタクトレス・タイプを含むハイブリッド・タイプに関係するものであってもよい。加えて、スマートカードＩＣ４４０は、例えば、ＩＳＯ７８１６標準、ＩＳＯ／ＩＥＣ１４４４３標準、ＩＳＯ１５６９３標準、ＩＳＯ／ＩＥＣ１８０００標準、ＩＳＯ１８１８５標準、ＥＭＶ標準、ＥＭＶコンタクトレス標準、ＭＩＦＡＲＥ標準またはフェリカ標準を満たす。
【００２９】
スマートカードＩＣ４４０は、セキュリティ認証を実行する。通信インターフェース４３０は、セキュリティの認証が成功した後、スマートカードＩＣ４４０を介して、ディスプレイ回路４２０と通信する。スマートカードＩＣ４４０は、セキュリティ・モジュール４４２とストレージ・ユニット４４４を更に含む。セキュリティ・モジュール４４２は、カードがハッカーによって侵入されるのを防ぐために、セキュリティ認証を実行し、セキュリティ認証が成功するまで、ストレージ・ユニット４４４のデータをアクセスすることができない。
【００３０】
電力発生器４５０は、ディスプレイ回路４２０、通信インターフェース４３０及びスマートカードＩＣ４４０に接続している、電力発生器４５０は、通信インターフェース４３０を介して、無線周波信号を受信し、フレキシブル薄型電子システム４ｂに、無線周波信号に従って、動作電圧を供給する。電力発生器４５０は、ディスプレイ回路４２０の動作電圧に直流電圧を変換するために、直流電圧変換器を更に含むことができる。加えて、電力発生器４５０の電力は、接触する方法またはコンタクトレスの方法で、外部デバイスにより提供することもできる。あるいは、一次電池、二次電池または太陽電池によって提供することもできる。二次電池は、例えば、コンデンサ、スーパー・コンデンサ、急速充電コンデンサ、リチウム電池、あるいは、二次電池を接触する方法またはコンタクトレスの方法で充電することができる、その他の充電式電池である。
【００３１】
図５は、ディスプレイ機能を有するフレキシブル・カード５の外観を示す。フレキシブル・カード５とフレキシブル・カード４との違いは、フレキシブル・カード５が、カード部分４ａの表面に配置されたボタン・ユニット５２を更に含むことである。ボタン・ユニット５２は、例えば、１つ以上の金属ボタンまたは厚膜ボタンを含む。加えて、ボタン・ユニット５２は、さらに、容量タッチパネル、または抵抗タッチパネル、であってもよい。あるいは、フレキシブル薄型電子システム中に配置されていてもよい。
【００３２】
本発明の実施形態によるディスプレイ機能を有するフレキシブル・カードは、ユーザーがポケットまたは財布に簡単に入れることができるように、フレキシブル状態に耐えることができる。加えて、本発明の実施形態によるディスプレイ機能を有するフレキシブル・カードは、さらに、ハッカーがデータを外側から盗むのを防ぐことができる。
【００３３】
本願発明は、実施例を用いて、また、好適な実施形態に関して記述されているが、本発明は、それらに制限されないことは、理解されるべきである。逆に、種々の変形、及び、同様の構成、処理をカバーすることを意図しており、したがって、添付した特許請求の範囲は、そのような種々の変形、同様の構成、処理のすべてに渡るように、最も幅広い解釈を与えられなければならない。
【図１】
2011134290.tif 000003
【図２】
2011134290.tif 000004
【図３】
2011134290.tif 000005
【図４】
2011134290.tif 000006
【図５】
2011134290.tif 000007
【外国語明細書】
2011134290000001.pdf